(57)【要約】【課題】  プレートに衝撃が加わって割れた場合でも、加熱コイルを通電する端子台への水掛かりを防止できる。【解決手段】  本体２の上面に被加熱物を載置するプレート３と、プレート３の下面に設け両端に端子２２を有し前記被加熱物を誘導加熱する加熱コイル１１と、加熱コイル１１に電力を供給する出力制御基板１４と、端子２２を固定する端子固定部２１ｇを有し端子２２と出力制御基板１４とを電気的に接続する端子台２１と、端子台２１の上方を覆う端子部カバー２０とを備えた誘導加熱調理器において、端子部カバー２０の外周に端子固定部２１ｇより先端２０ｍが下方に延びた側壁２０ｄを設けたものである。【選択図】図７
2015135785.tif 000002
【特許請求の範囲】
【請求項１】
本体の上面に設けられ、被加熱物を載置するプレートと、
該プレートの下方に設けられ、前記被加熱物を誘導加熱する加熱コイルと、
該加熱コイルの両端の端子に電力を供給する出力制御基板と、
前記端子を固定する端子固定部で、前記端子と前記出力制御基板を電気的に接続する端子台と、
該端子台の上方を覆う端子部カバーと、を備えた誘導加熱調理器において、
前記端子部カバーは、前記端子固定部より下方まで延びる側壁を外周に有することを特徴とする誘導加熱調理器。
【発明の詳細な説明】
【技術分野】
【０００１】
本発明は、防水構造を備えた誘導加熱調理器に関するものである。
【背景技術】
【０００２】
特許文献１には、箱体に制御回路部と接続端子台を備え、箱体の上部に設けた加熱コイルと遮蔽体の下方に設けた接続端子台とを接続するために、遮蔽体に貫通穴を設け、この貫通穴に加熱コイル端子の接続部を通して接続端子台に接続し、この貫通穴には上部から滴下する液体が接続端子台へ侵入しないように防水カバーで覆っている。
【０００３】
また、前記貫通穴を通した加熱コイル端子の接続部（リード線）は、一度、接続端子台より下方へ導いた後に、上向きに折り曲げ、下から上向きの状態で接続端子台に接続し（同文献の図２）、加熱コイル端子の接続部（リード線）を伝わって流れてきた水滴が接続端子台へ流れないようにした電磁誘導加熱調理器が記載されている。
【先行技術文献】
【特許文献】
【０００４】
【特許文献１】特開平１１−３３９９４４号公報
【発明の概要】
【発明が解決しようとする課題】
【０００５】
特許文献１に示す電磁誘導加熱調理器においては、前記貫通穴を通した加熱コイル端子の接続部（リード線）を伝わって水が接続端子台へと流れないように、熱コイル端子の接続部（リード線）を一度、接続端子台より下方へ導いた後に、上向きに折り曲げ、下から上向きの状態で接続端子台に接続するように、作業者による複雑な後加工が必要となり、組立作業効率が悪化するという課題があった。
【課題を解決するための手段】
【０００６】
本発明の誘導加熱調理器は、上述の課題を解決するためになされたものであり、本体の上面に設けられ、被加熱物を載置するプレートと、該プレートの下方に設けられ、前記被加熱物を誘導加熱する加熱コイルと、該加熱コイルの両端の端子に電力を供給する出力制御基板と、前記端子を固定する端子固定部で、前記端子と前記出力制御基板を電気的に接続する端子台と、該端子台の上方を覆う端子部カバーと、を備えた誘導加熱調理器において、前記端子部カバーは、前記端子固定部より下方まで延びる側壁を外周に有するものである。
【発明の効果】
【０００７】
本発明の誘導加熱調理器によれば、組立作業効率を悪化させない簡易な構成でありながら、調理物から飛び散った水滴等がプレートのクラック等から内部に進入した場合でも、加熱コイルの端子台に端子部カバーを取り付けることによって、加熱コイルの端子への水掛かりを防止することができる。
【図面の簡単な説明】
【０００８】
【図１】一実施例の誘導加熱調理器の外観斜視図である。
【図２】同誘導加熱調理器の内部平面図である。
【図３】図１のＡ−Ａ断面図である。
【図４】一実施例の誘導加熱調理器のプレートを外した本体内の斜視図である。
【図５】図４の加熱コイル周囲の拡大図である。
【図６】図５の端子部カバーを外した端子台の拡大図である。
【図７】図５の端子台を下方から見た拡大図である。
【図８】一実施例の誘導加熱調理器の端子部カバーの外観斜視図である。
【図９】同端子部カバーの内部斜視図である。
【発明を実施するための形態】
【０００９】
以下、本発明の一実施例を図面に従って説明する。
【００１０】
図１から図３において、１は誘導加熱調理器などを嵌め込むキッチンキャビネットである。２はキッチンキャビネット１に嵌め込んで設置するビルトイン型の誘導加熱調理器の本体である。そのため、本体２の大きさには制限が設けられている。
【００１１】
３はプレートで、鍋等の被加熱物（図示せず）を載置するもので、本体２の上面に水平に設けられている。３口の加熱部を有するビルトイン型の誘導加熱調理器では、プレート３の大きさは、概ね幅６００（ｍｍ）、奥行き４４０（ｍｍ）である。プレート３はガラスやセラミックからなる。
【００１２】
プレート３の側面周囲には側面を覆うように枠体３０を設け、プレート３の左右には左右枠３０ａ、プレート３の前側には前枠３０ｂ、後側には後枠３０ｃを備える。
【００１３】
６は載置部で、加熱する被加熱物（図示せず）である鍋を載置する位置を示している。そして、載置部６のプレート３の下面には、被加熱物を誘導加熱する加熱コイル１１が設けられている。
【００１４】
加熱コイル１１はコイルベース１１ｐにより固定され、加熱コイル右１１ａ、加熱コイル左１１ｂのコイルベース１１ｐには複数、加熱コイル中央１１ｃのコイルベース１１ｐには１つの温度センサ１１ｔを備えている。温度センサ１１ｔは、プレート３を介して被加熱物である鍋底の温度を検知する接触型の例えばサーミスタ、また、非接触型の赤外線センサである。
【００１５】
７は吸気口で、後枠３０ｃに設けられ、本体２の外部の空気を吸引するための開口部である。７ａは吸気口カバーで、吸気口７の開口部に鍋から落ちた食材などが入り込まないように吸気口７を覆う目が細かいカバーである。
【００１６】
８は排気口で、後枠３０ｃに設けられ、本体２の内部の部品を冷却した後の排熱を放出するための開口部である。８ａは排気口カバーで、排気口８の開口部に鍋から落ちた食材などが入り込まないように排気口８を覆う目が細かいカバーである。
【００１７】
５は操作部で、プレート３に載置する被加熱物である鍋を加熱するための火力や加熱する温度を設定するところである。９は上面操作部で、載置部６に載置された鍋を加熱する設定をするスイッチ群である。１０は上面表示部で、上面操作部９で設定した内容や加熱状態を表示する表示部である。
【００１８】
図１は、操作部５は前枠３０ｂに設けた例を示すが、操作部５は前枠３０ｂに配置することに限定するものでなく、前枠３０ｂ寄りのプレート３に設けてもよい。
【００１９】
４はオーブンで、本体２の前面左部に設けられ中で魚等を焼くものである。４ａはドアで、オーブン４に魚等を入れるために開閉するものである。
【００２０】
１８は前カバーで、該前カバー１８は回転式の開閉部で、開成することでオーブン４の加熱を設定する操作部が現れ、該操作部を操作できるようにしている。
【００２１】
１４は出力制御基板で、操作部５で設定された火力に応じて、加熱コイル１１に供給する電力を制御する制御回路を含んだ回路基板で、加熱コイル１１と電気的に接続するための端子を設けたリード線（図示無し）も備えている。出力制御基板１４は加熱コイル１１の下方に配置される。
【００２２】
１５は冷却ファンで、複数の加熱コイル１１及び出力制御基板１４を冷却するものである。
【００２３】
１２は基板ケースで、基板ケース１２は、出力制御基板１４を固定収納し、出力制御基板１４を囲い冷却ファン１５から送風される冷却風を効率良く出力制御基板１４に送れるように風路を構成している。そして基板ケース１２内を流れる冷却風は、吸気口７から吸引されるもので、吸気口７と基板ケース１２とは連通した風路を構成し、その風路内の吸気口７側に冷却ファン１５が配置されている。
【００２４】
また、基板ケース１２には、加熱コイル１１や操作部５を構成している基板等を冷却するために、冷却ファン１５から送風される冷却風を加熱コイル１１や操作部５を構成している基板等に送風するための冷却口１３を設けている。
【００２５】
第一の冷却口右１３ａは、冷却ファン１５からの送風が基板ケース１２より吹出される開口部の一つで、対応する加熱コイル右１１ａの側部に対向するように、基板ケース１２の上部前方で切り起こし後方に向けて開口され、ここから吹出された冷却風は加熱コイル右１１ａに吹き付けられる。
【００２６】
第二の冷却口左１３ｂは、冷却ファン１５からの送風が基板ケース１２より吹出される開口部の他の一つで、対応する加熱コイル左１１ｂの側部に対向するように、基板ケース１２の上部側面左側に切り起こし左側に向けて開口され、ここから吹出された冷却風は加熱コイル左１１ｂに吹き付けられる。
【００２７】
１７は支持具で、コイルベース１１ｐを支えて加熱コイル１１の位置決めと、加熱コイル１１をプレート３に押し付ける役割を備えている。
【００２８】
１６はギャップスペーサで、加熱コイル１１とプレート３の間に設けられ、加熱コイル１１とプレート３との間に冷却風を通すために設けられている。
【００２９】
図４から図９において端子部カバーを説明する。
【００３０】
図４において加熱コイル左１１ｂのコイルベース１１ｐ外周に、出力制御基板１４（図３）と電気的に接続するための端子台２１を備え、端子台２１には端子台２１を覆う端子部カバー２０が設けられている。加熱コイル右１１ａの端子台２１にも端子部カバー２０を設けてもよい。
【００３１】
端子部カバー２０は、加熱コイル１１側に凸形状の凸部２０ｂを設け、凸部２０ｂから加熱コイル１１から遠ざかる方向へ一段下がった平坦部２０ｃと、外周には下方に延びる側壁２０ｄを備えている。
【００３２】
そして凸部２０ｂには、後述する端子台２１の接続部２１ｆの下方に入れて
端子部カバー２０を固定するためのツメ２０ｈと、凸部２０ｂに掛かった水滴を端子台２１に設けられた溝２１ｃへと流すために溝２１ｃと繋がる連結部２０ｆとが設けられている。
【００３３】
また端子部カバー２０の裏面には、端子台２１のリブ２１ａに沿って端子部カバー２０を案内するガイド２０ｋと、端子台２１のリブ２１ａの端部に設けた凸状の係止部受け２１ｄに係止する係止部２０ｇと、端子固定部２１ｇに固定さる端子２２の状態を検知するための凸状の突起部２０ｊとを備えている。
【００３４】
また、端子部カバー２０を端子台２１に固定した時に、下方に延びた側壁２０ｄの先端２０ｍは、端子台２１に端子２２を載置して固定する端子固定部２１ｇより下になる長さとなっている。但し、端子２２と接続する出力制御基板１４へ繋がっているリード線の引き出し口側は、側壁２０ｄの長さ短くした切欠部２０ｅを設けている。
【００３５】
次に端子台２１について図６、図７を用いて説明する。
【００３６】
端子台２１には、端子部カバー２０に設けたツメ２０ｈを保持する接続部２１ｆと、端子部カバー２０に掛かった水滴を端子台２１の左右側に流すための溝２１ｃと、溝２１ｃから流れた水滴を端子台２１の下方に流すための切り欠き部２１ｅと、端子２２間の沿面距離を保つ凸状の壁２１ｈと、端子部カバー２０を固定するときにガイド２０ｋの案内となるリブ２１ａと、端子部カバー２０の係止部２０ｇと係止するためにリブ２１ａの端部に凸状の係止部受け２１ｄと、端子２２を載置して該端子２２を差し込んで固定する切込み部２１ｊを前記壁２１ｈ側に設けた端子固定部２１ｇとを備え、端子２２を載置する端子固定部２１ｇには端子２２と出力制御基板１４に電気的に接続するリード線に設けた端子（図示無し）をネジ（図示無し）で圧接して接続した時に前記ネジの先端の逃げ穴となる孔２１ｂを設けている。
【００３７】
加熱コイル１１ｂはリッツ線１１２を巻回して成り、リッツ線１１２の端部には出力制御基板１４からの電力の供給を受ける端子２２が接続されている。
【００３８】
以上説明した端子台２１と端子部カバー２０の構成について、その作用について例えば左側の加熱コイル左１１ｂの組み立てと合わせて詳細に説明する。
【００３９】
加熱コイル左１１ｂはリッツ線１１２を平板状に巻回し、その後コイルベース１１ｐにシリコーン接着剤などを使用して貼り付けて固定する。加熱コイル左１１ｂの両側先端には端子２２を設け、端子２２はコイルベース１１ｐの下方から通して端子台２１の端子固定部２１ｇに載置して壁２１ｈ側に設けた切込み部２１ｊに挟み端子固定部２１ｇに保持する。
【００４０】
次に、保持した加熱コイル左１１ｂの端子２２の上面に出力制御基板１４に接続するリード線の端子を置いて、リード線の端子の上方からネジを通して、両端子を圧接して電気的に接続する。
【００４１】
前記ネジは、コイルベース１１ｐに対して、上面側にドライバーの先端を保持する頭部、そして下面側に前記端子を圧接して貫通したネジの先端が位置し、
貫通したネジの先端は端子台２１の孔２１ｂに進み、圧接した前記端子を端子台２１から持ち上げることは無い。また、ネジの先端が孔２１ｂに進み挿入されることで、前記端子と端子２２が端子固定部２１ｇから持ち上がる事も無く、また抜け落ちることも無くなる。
【００４２】
前記端子を固定した後、端子部カバー２０を端子台２１に固定する。端子部カバー２０の固定は、端子台２１の接続部２１ｆの下方にツメ２０ｈを挿入し、端子台２１のリブ２１ａをガイド２０ｋによって挟み込むように挿入して端子部カバー２０の左右の位置ズレを補正し、端子部カバー２０の係止部２０ｇを端子台２１の係止部受け２１ｄに固定される。
【００４３】
ただし、加熱コイル左１１ｂに接続している端子２２と出力制御基板１４に接続するリード線の端子を圧接して接続しているネジが緩んでいた場合、または端子２２が端子固定部２１ｇから持ち上がっていた場合は、前記ネジの頭部や端子２２の位置が正常時の位置より高くなるので、端子部カバー２０の突起部２０ｊが高い位置に留まっているネジの頭部や端子２２に当たり、端子部カバー２０の係止部２０ｇがリブ２１ａ端部の係止部受け２１ｄに係止が出来なくなり、端子部カバー２０を固定できなくなる構成としている。
【００４４】
そうすることで、端子部カバー２０によって端子２２が見えなくなる事で、端子２２の状態を構造的に確認できるようにしている。
【００４５】
また、端子部カバー２０を端子台２１に固定することで、仮に加熱コイル１１ｂから端子２２へ接続しているリッツ線１１２が端子台２１の上方側に撓んでいた場合でも、リッツ線１１２は、端子部カバー２０の側壁２０ｄによって強制的に端子固定部２１ｇより下方に押し下げられる。
【００４６】
そして、端子部に水滴が滴下した時は、水滴は、端子部カバー２０の低い平坦部２０ｃへ流れた後は端子部カバー２０の側壁２０ｄをつたって下方に落下する。そのため、端子部カバー２０の裏側に水滴が流れ込むことは無い、また端子部カバー２０から加熱コイル左１１ｂ側に流れた水滴は、端子台２１に設けられた溝２１ｃと切り欠き部２１ｅを通って端子台２１から下方に落下するため、加熱コイル左１１ｂの端子２２に水滴が進入することは無い。また、加熱コイル１１ｂのリッツ線１１２に水滴が付着した場合でも、リッツ線１１２は端子固定部２１ｇより下方に押し下げられているので、水滴が端子２２に流れ込むことは無い。
【００４７】
以上の構成において、その動作を説明する。
【００４８】
使用者が被加熱物（図示せず）をプレート３の載置部６に載置し、操作部５を操作し火力を設定して調理開始すると、出力制御基板１４はリード線を介して端子台２１に固定した端子２２から加熱コイル１１に前記設定された火力に対応した電力を送り、設定された火力になるように制御する。この制御により、加熱コイル１１に高周波電流が流れて磁束を発生し、この磁束によりプレート３に載置した被加熱物（図示せず）に渦電流が流れ、被加熱物（図示せず）自身が発熱して加熱される。
【００４９】
調理が開始されると、同時に、冷却ファン１５も駆動する。冷却ファン１５が駆動すると、冷却ファン１５は吸気口７から外気を吸引し、吸引した外気を出力制御基板１４、加熱コイル右１１ａ、加熱コイル中央１１ｃ、加熱コイル左１１ｂに送風して冷却する。そして、冷却した後の冷却風は、冷却風は排気口８に流れ本体２の外に排気される。
【００５０】
ここで、プレート３の上に、高い位置から重量物などを誤って落下させるなどして、プレート３が衝撃で割れた場合には、水が端子部カバー２０の上面部２０ａの凸部２０ｂに落ちた水は低い平坦部２０ｃへ流れ、側壁２０ｄへと伝わって流れて本体２内へ落ち、端子台２１の端子２２には水が掛かることを防止している。
【００５１】
ここで、プレート３の上に、高い位置から重量物などを誤って落下させるなどして、プレート３が衝撃で割れクラックが生じた場合には、水が端子部カバー２０の上面部２０ａの凸部２０ｂに落ちた水は低い平坦部２０ｃへ流れ、側壁２０ｄへと伝わって流れて本体２内へ落ち、端子台２１の端子２２には水が掛かることを防止している。
【００５２】
以上の本実施例によれば、端子部カバーを取り付けることにより、プレートにクラックが入った状態で調理が行われ、調理物から飛び散った水滴がクラック等から進入した場合でも、加熱コイルの端子への水掛かりを防止できる。また、端子台を端子部カバーで覆うだけで、端子の防水を図ることができるので、組立作業効率を飛躍的に高めることができる。
【符号の説明】
【００５３】
２  本体
３  プレート
１１  加熱コイル
１１ｐ  コイルベース
１４  出力制御基板
２０  端子部カバー
２０ｄ  側壁
２０ｊ  突起部
２０ｍ  先端
２１  端子台
２１ｇ  端子固定部
２２  端子
１１２  リッツ線
【図１】
2015135785.tif 000003
【図２】
2015135785.tif 000004
【図３】
2015135785.tif 000005
【図４】
2015135785.tif 000006
【図５】
2015135785.tif 000007
【図６】
2015135785.tif 000008
【図７】
2015135785.tif 000009
【図８】
2015135785.tif 000010
【図９】
2015135785.tif 000011